(57)【要約】【解決すべき課題】通信コンテンツを一元管理すると共に、各地方局の独自性のある通信コンテンツをアクセスしてきた者に配信することができる技術を提供すること。【課題を解決するための手段】キー局３が通信コンテンツのリンク先として自局のサーバが記述されたデータ放送を地方局１に配信し、地方局１では配信されたデータ放送の通信コンテンツを地方局用にアレンジしたい場合にはリンク先に自局の識別情報を追加してデータ放送を送信する。受信機２では、視聴者の希望により通信コンテンツを表示させたい場合、データ放送に記述されたリンク先にアクセスする。キー局３では識別情報に基づいて判別を行い、地方局の識別情報でなければ、基本となるコンテンツを読み出し、識別情報が地方局のものであれば、識別情報に関連付けられた地方局１用のコンテンツを読み出し、コンテンツを送信する。【選択図】  図１
2004222107.tif 000002
【特許請求の範囲】
【請求項１】
コンテンツ管理システムであって、
管理局が管理する通信コンテンツがリンク先として記述されたデータ放送を放送局に配信するデータ放送配信手段と、
放送局の識別情報と、その放送局用のコンテンツとが対応付けられて記憶された放送局データベースと、
通信コンテンツのアクセス時に送られてくる放送局の識別情報に対応付けられたコンテンツを、前記放送局データベースから読み出し、このコンテンツをアクセスしてきた受信機に送信する手段と
を有する管理局と、
前記配信されたデータ放送に記述されたリンク先に自局の識別情報を付加する手段と、
前記自局の識別情報が付加されたデータ放送を放送する手段と
を有する放送局と、
前記データ放送を受信し、前記データ放送に記述されたリンク先にある管理局にアクセスし、通信コンテンツを取得する受信機と
を有することを特徴とするコンテンツ管理システム。
【請求項２】
コンテンツ管理システムであって、
管理局が管理する通信コンテンツがリンク先として記述されたデータ放送を放送局に配信するデータ放送配信手段と、
通信コンテンツが格納された記憶手段と、
放送局の識別情報と、その放送局用に前記通信コンテンツの一部を置換するための置換用コンテンツとが対応付けられて記憶された放送局データベースと、
通信コンテンツのアクセス時に送られてくる放送局の識別情報を判別する判別手段と、
前記放送局データベースから前記判別された識別情報に対応する置換用コンテンツを読み出し、この読み出した置換用コンテンツで前記通信コンテンツの一部を置換し、識別情報で特定される放送局用の通信コンテンツを生成し、このコンテンツをアクセスしてきた受信機に送信する手段と
を有する管理局と、
前記配信されたデータ放送に記述されたリンク先に自局の識別情報を付加する手段と、
前記自局の識別情報が付加されたデータ放送を放送する手段と
を有する放送局と、
前記データ放送を受信し、前記データ放送に記述されたリンク先にある管理局のサーバにアクセスし、通信コンテンツを取得する受信機と
を有することを特徴とするコンテンツ管理システム。
【請求項３】
データ放送を管理・配信する管理局であって、
管理局が管理する通信コンテンツがリンク先として記述されたデータ放送を放送局に配信するデータ放送配信手段と、
放送局の識別情報と、その放送局用のコンテンツとが対応付けられて記憶された放送局データベースと、
通信コンテンツのアクセス時に送られてくる放送局の識別情報に対応付けられたコンテンツを、前記放送局データベースから読み出し、このコンテンツをアクセスしてきた受信機に送信する手段と
を有することを特徴とする管理局。
【請求項４】
データ放送を管理・配信する管理局であって、
管理局が管理する通信コンテンツがリンク先として記述されたデータ放送を放送局に配信するデータ放送配信手段と、
通信コンテンツが格納された記憶手段と、
放送局の識別情報と、その放送局用に前記通信コンテンツの一部を置換するための置換用コンテンツとが対応付けられて記憶された放送局データベースと、
通信コンテンツのアクセス時に送られてくる放送局の識別情報を判別する判別手段と、
前記放送局データベースから前記判別された識別情報に対応する置換用コンテンツを読み出し、この読み出した置換用コンテンツで前記通信コンテンツの一部を置換し、識別情報で特定される放送局用の通信コンテンツを生成し、このコンテンツをアクセスしてきた受信機に送信する手段と
を有することを特徴とする管理局。
【請求項５】
データ放送を放送する放送局であって、
管理局から配信されたデータ放送に記述されたリンク先に自局の識別情報を付加する手段と、
前記自局の識別情報が付加されたデータ放送を放送する手段と
を有することを特徴とする放送局。
【請求項６】
コンテンツ管理方法であって、
管理局が、管理する通信コンテンツがリンク先として記述されたデータ放送を放送局に配信するステップと、
放送局が、配信されたデータ放送を受信し、このデータ放送に記述されたリンク先に自局の識別情報を付加するステップと、
前記自局の識別情報が付加されたデータ放送を放送するステップと、
受信機が、データ放送を受信し、前記データ放送に記述されたリンク先にある管理局にアクセスするステップと、
管理局が、受信機からの通信コンテンツのアクセスに応答して、通信コンテンツのアクセス時に送られてくる放送局の識別情報に対応付けられたコンテンツを、放送局の識別情報とその放送局用のコンテンツとが対応付けられて記憶された放送局データベースから読み出し、このコンテンツをアクセスしてきた受信機に送信するステップと
を有することを特徴とするコンテンツ管理方法。
【請求項７】
コンテンツ管理方法であって、
管理局が、管理する通信コンテンツがリンク先として記述されたデータ放送を放送局に配信するステップと、
放送局が、配信されたデータ放送を受信し、このデータ放送に記述されたリンク先に自局の識別情報を付加するステップと、
前記自局の識別情報が付加されたデータ放送を放送するステップと、
受信機が、データ放送を受信し、前記データ放送に記述されたリンク先にある管理局にアクセスするステップと、
管理局が、受信機からの通信コンテンツのアクセスに応答して、通信コンテンツのアクセス時に送られてくる放送局の識別情報を判別するステップと、
放送局の識別情報と、その放送局用に通信コンテンツの一部を置換するための置換用コンテンツとが対応付けられて記憶された放送局データベースから、前記判別された識別情報に対応する置換用コンテンツを読み出すステップと、
前記読み出した置換用コンテンツで、予め記憶されている通信コンテンツの一部を置換し、識別情報で特定される放送局用の通信コンテンツを生成するステップと、
前記生成されたコンテンツをアクセスしてきた受信機に送信するステップと
を有することを特徴とするコンテンツ管理方法。
【発明の詳細な説明】
【０００１】
【発明が属する技術分野】
本発明は通信コンテンツを管理するシステムに関し、特にキー局のような管理局で通信コンテンツを管理し、地方局などの放送局から放送されたデータ放送に基づいて通信コンテンツにアクセスしてきた場合、その放送局用の通信コンテンツを送信する技術に関する。
【０００２】
【従来の技術】
近年、データ放送に通信コンテンツのリンク先を記述し、通信コンテンツとの両立を図る方法が取られている。通信コンテンツのリンク先の指定はＵＲＬ（Ｕｎｉｆｏｒｍ  Ｒｅｓｏｕｒｃｅ  Ｌｏｃａｔｏｒ）を用いる。
【０００３】
ところで、データ放送は、キー局ばかりでなく、地方局からも放送される。地方局独自の特色を持たせるため、その地方局専用の通信コンテンツを用意し、その通信コンテンツを管理するサーバ等を地方局毎に持って管理することも考えられる。
【０００４】
【発明が解決しようとする課題】
しかしながら、通信コンテンツを管理するサーバ等を地方局が所有することは、コスト等の面により負担が大きかった。
【０００５】
そこで、キー局のような管理局が通信コンテンツを一元管理することが考えられる。
【０００６】
しかし、キー局が通信コンテンツを一元管理すると、地方局のデータ放送を受信してアクセスしてきた者についても、地方の独自性のない画一化されたものしか送信することができなかった。例えば、ある地方局のデータ放送から通信コンテンツにアクセスした場合、通信コンテンツはその地方の天気等がトップページに表示されることが好ましい。
【０００７】
そこで、本発明は上記問題点に鑑みて発明されたものであって、その目的は通信コンテンツを一元管理すると共に、各地方局の独自性のある通信コンテンツをアクセスしてきた者に配信することができる技術を提供することにある。
【０００８】
【課題を解決するための手段】
上記本発明の目的を達成する第１の発明は、コンテンツ管理システムであって、
管理局が管理する通信コンテンツがリンク先として記述されたデータ放送を放送局に配信するデータ放送配信手段と、
放送局の識別情報と、その放送局用のコンテンツとが対応付けられて記憶された放送局データベースと、
通信コンテンツのアクセス時に送られてくる放送局の識別情報に対応付けられたコンテンツを、前記放送局データベースから読み出し、このコンテンツをアクセスしてきた受信機に送信する手段と
を有する管理局と、
前記配信されたデータ放送に記述されたリンク先に自局の識別情報を付加する手段と、
前記自局の識別情報が付加されたデータ放送を放送する手段と
を有する放送局と、
前記データ放送を受信し、前記データ放送に記述されたリンク先にある管理局にアクセスし、通信コンテンツを取得する受信機と
を有することを特徴とする。
【０００９】
上記本発明の目的を達成する第２の発明は、コンテンツ管理システムであって、
管理局が管理する通信コンテンツがリンク先として記述されたデータ放送を放送局に配信するデータ放送配信手段と、
通信コンテンツが格納された記憶手段と、
放送局の識別情報と、その放送局用に前記通信コンテンツの一部を置換するための置換用コンテンツとが対応付けられて記憶された放送局データベースと、
通信コンテンツのアクセス時に送られてくる放送局の識別情報を判別する判別手段と、
前記放送局データベースから前記判別された識別情報に対応する置換用コンテンツを読み出し、この読み出した置換用コンテンツで前記通信コンテンツの一部を置換し、識別情報で特定される放送局用の通信コンテンツを生成し、このコンテンツをアクセスしてきた受信機に送信する手段と
を有する管理局と、
前記配信されたデータ放送に記述されたリンク先に自局の識別情報を付加する手段と、
前記自局の識別情報が付加されたデータ放送を放送する手段と
を有する放送局と、
前記データ放送を受信し、前記データ放送に記述されたリンク先にある管理局のサーバにアクセスし、通信コンテンツを取得する受信機と
を有することを特徴とする。
【００１０】
上記本発明の目的を達成する第３の発明は、データ放送を管理・配信する管理局であって、
管理局が管理する通信コンテンツがリンク先として記述されたデータ放送を放送局に配信するデータ放送配信手段と、
放送局の識別情報と、その放送局用のコンテンツとが対応付けられて記憶された放送局データベースと、
通信コンテンツのアクセス時に送られてくる放送局の識別情報に対応付けられたコンテンツを、前記放送局データベースから読み出し、このコンテンツをアクセスしてきた受信機に送信する手段と
を有することを特徴とする。
【００１１】
上記本発明の目的を達成する第４の発明は、データ放送を管理・配信する管理局であって、
管理局が管理する通信コンテンツがリンク先として記述されたデータ放送を放送局に配信するデータ放送配信手段と、
通信コンテンツが格納された記憶手段と、
放送局の識別情報と、その放送局用に前記通信コンテンツの一部を置換するための置換用コンテンツとが対応付けられて記憶された放送局データベースと、
通信コンテンツのアクセス時に送られてくる放送局の識別情報を判別する判別手段と、
前記放送局データベースから前記判別された識別情報に対応する置換用コンテンツを読み出し、この読み出した置換用コンテンツで前記通信コンテンツの一部を置換し、識別情報で特定される放送局用の通信コンテンツを生成し、このコンテンツをアクセスしてきた受信機に送信する手段と
を有することを特徴とする。
【００１２】
上記本発明の目的を達成する第５の発明は、データ放送を放送する放送局であって、
管理局から配信されたデータ放送に記述されたリンク先に自局の識別情報を付加する手段と、
前記自局の識別情報が付加されたデータ放送を放送する手段と
を有することを特徴とする。
【００１３】
上記本発明の目的を達成する第６の発明は、コンテンツ管理方法であって、
管理局が、管理する通信コンテンツがリンク先として記述されたデータ放送を放送局に配信するステップと、
放送局が、配信されたデータ放送を受信し、このデータ放送に記述されたリンク先に自局の識別情報を付加するステップと、
前記自局の識別情報が付加されたデータ放送を放送するステップと、
受信機が、データ放送を受信し、前記データ放送に記述されたリンク先にある管理局にアクセスするステップと、
管理局が、受信機からの通信コンテンツのアクセスに応答して、通信コンテンツのアクセス時に送られてくる放送局の識別情報に対応付けられたコンテンツを、放送局の識別情報とその放送局用のコンテンツとが対応付けられて記憶された放送局データベースから読み出し、このコンテンツをアクセスしてきた受信機に送信するステップと
を有することを特徴とする。
【００１４】
上記本発明の目的を達成する第７の発明は、コンテンツ管理方法であって、
管理局が、管理する通信コンテンツがリンク先として記述されたデータ放送を放送局に配信するステップと、
放送局が、配信されたデータ放送を受信し、このデータ放送に記述されたリンク先に自局の識別情報を付加するステップと、
前記自局の識別情報が付加されたデータ放送を放送するステップと、
受信機が、データ放送を受信し、前記データ放送に記述されたリンク先にある管理局にアクセスするステップと、
管理局が、受信機からの通信コンテンツのアクセスに応答して、通信コンテンツのアクセス時に送られてくる放送局の識別情報を判別するステップと、
放送局の識別情報と、その放送局用に通信コンテンツの一部を置換するための置換用コンテンツとが対応付けられて記憶された放送局データベースから、前記判別された識別情報に対応する置換用コンテンツを読み出すステップと、
前記読み出した置換用コンテンツで、予め記憶されている通信コンテンツの一部を置換し、識別情報で特定される放送局用の通信コンテンツを生成するステップと、
前記生成されたコンテンツをアクセスしてきた受信機に送信するステップと
を有することを特徴とする。
【００１５】
【発明の実施の形態】
本発明の第１の実施の形態を説明する。
【００１６】
図１は本発明の第１の実施の形態を示す概念図である。尚、本実施の形態の説明において、管理局をキー局、放送局を地方局として説明する。
【００１７】
図１中、１は地方局、２は受信機、３はキー局である。
【００１８】
地方局１は管轄するエリアに地方局のデータ放送を行なっている。各地方局には個別の識別情報が付与されている。そして、地方局１は、図２に示される如く、受信部１１と、リンク情報追加部１２と、データ放送配信部１３とを有する。
【００１９】
受信部１１は、キー局３から配信されるデータ放送を受信するものである。
【００２０】
リンク情報追加部１２は、キー局３から配信されたデータ放送に通信コンテンツのリンク先が付与されており、かつ、その通信コンテンツに代えて、又は一部を代えて地方局独自のものを表示させたい場合に、データ放送に記述されているリンク先にリンク付加情報を追記するものである。この付加情報は、例えばＣＧＩ（Ｃｏｍｍｏｎ  Ｇａｔｅｗａｙ  Ｉｎｔｅｒｆａｃｅ）のような関数と、その関数における地方局１を識別する識別情報（変数）とである。例えばリンク先として、“ｈｔｔｐ：／／ｗｗｗ．ｋｅｙｂｒｏａｄｃａｓｔ．ｃｏ．ｊｐ”が記述されている場合、これに付加情報として”？ｐａｒｅ＝ＬＴＶ”を追記して“ｈｔｔｐ：／／ｗｗｗ．ｋｅｙｂｒｏａｄｃａｓｔ．ｃｏ．ｊｐ／？ｐａｒｅ＝ＬＴＶ”とする。尚、”ＬＴＶ”は地方局１の識別情報である。
【００２１】
データ放送配信部１３は、リンク情報追加部１２から追記されたデータ放送を受け取り、受信機２に配信する。
【００２２】
受信機２は、図３に示される如く、データ放送を受信する受信部２１と、受信したデータ放送が表示される表示部２２と、データ放送の通信コンテンツにアクセスするアクセス部２３とを有する。
【００２３】
アクセス部２３は、外部のサーバ、例えば、キー局３のサーバとインターネット等のネットワークを介して接続されており、ユーザに指定されたアドレス（ＵＲＬ）のサーバにアクセスするように構成されている。
【００２４】
キー局３は、図４に示される如く、データ放送配信部４１と、サーバ４２とを有する。
【００２５】
データ放送配信部４１は、各地方局にデータ放送を配信するものである。配信するデータ放送には通信コンテンツのリンク先が記述されており、そのリンク先はキー局１のサーバ４２である。例えばリンク先の例として、“ｈｔｔｐ：／／ｗｗｗ．ｋｅｙｂｒｏａｄｃａｓｔ．ｃｏ．ｊｐ／が記述される。
【００２６】
キー局のサーバ４２は、図５に示される如く、コンテンツデータベース４３と、地方局管理データベース４４と、判定部４５とを有する。
【００２７】
コンテンツデータベース４３は、基本となるコンテンツデータが格納されたデータベースであり、キー局にアクセスしてきた者に対して、基本的にはコンテンツデータベース４３に格納されているデータのコンテンツが送信される。
【００２８】
地方局管理データベース４４は、地方局毎にふられた識別情報と、その地方局の専用のコンテンツとが関連付けられて格納されたデータベースである。
【００２９】
判定部４５は、受信機２からの通信コンテンツの要求に応答して、コンテンツデータベース４３に格納されている通信コンテンツを送信するのか、又は地方局管理データベース４４に格納されている地方局用の通信コンテンツを送信するのかを判断し、該当するデータベースより通信コンテンツを読み出して受信機２に送信する。
【００３０】
次に、上述の構成における動作を説明する。
【００３１】
図６は本実施の形態の動作のフローチャートである。
【００３２】
まず、キー局３が、通信コンテンツのリンク先として自局のサーバが記述されたデータ放送を地方局１に配信する（Ｓｔｅｐ  １００）。
【００３３】
地方局１の受信部１１では、配信されたデータ放送を受信する（Ｓｔｅｐ  １０１）。通信コンテンツを地方局用にアレンジしたい場合には、リンク先に自局の識別情報を追加する（Ｓｔｅｐ  １０２）。例えばリンク先として、“ｈｔｔｐ：／／ｗｗｗ．ｋｅｙｂｒｏａｄｃａｓｔ．ｃｏ．ｊｐ”が記述されている場合、これに付加情報として”？ｐａｒｅ＝ＬＴＶ”を追記して“ｈｔｔｐ：／／ｗｗｗ．ｋｅｙｂｒｏａｄｃａｓｔ．ｃｏ．ｊｐ／？ｐａｒｅ＝ＬＴＶ”とする。尚、”ＬＴＶ”は地方局１の識別情報である。そして、データ放送を送信する（Ｓｔｅｐ  １０３）。
【００３４】
受信機２では、識別情報が記述された通信コンテンツのリンク先を含むデータ放送を受信する（Ｓｔｅｐ  １０４）。そして、視聴者の希望により通信コンテンツを表示させたい場合、データ放送に記述されたリンク先にアクセスする（Ｓｔｅｐ  １０５）。
【００３５】
キー局３では、アクセスのＵＲＬより、判定部４５が識別情報の判別を行なう（Ｓｔｅｐ  １０６）。地方局の識別情報でなければ（Ｓｔｅｐ  １０７）、コンテンツデータベース４３から基本となるコンテンツを読み出し（Ｓｔｅｐ  １０８）、コンテンツを送信する（Ｓｔｅｐ  １１１）。
【００３６】
一方、識別情報が地方局のものであれば（Ｓｔｅｐ  １０７）、識別情報に関連付けられた地方局１用のコンテンツを地方局管理データベース４４から読み出し（Ｓｔｅｐ  １０５）、コンテンツを送信する（Ｓｔｅｐ  １１１）。
【００３７】
受信機２ではコンテンツを受信し（Ｓｔｅｐ  １１２）、コンテンツが表示される（Ｓｔｅｐ  １１３）。
【００３８】
尚、上述した実施の形態では、データ放送配信部４１とサーバ４２とを同一のキー局に設置したが、異なる場所に配置しても同様な効果が得られる。
【００３９】
次に、第２の実施の形態を説明する。
【００４０】
第１の実施の形態では、管理局において、放送局毎に通信コンテンツを用意していた。
【００４１】
しかしながら、通信コンテンツのうちで、放送局毎に異なる部分が数箇所の場合などは、異なる場所のみ置換するように構成したほうが良い場合もある。
【００４２】
そこで、第２の実施の形態では、キー局のサーバにおいて、一つの通信コンテンツの素材を用いて放送局毎に異なる部分のみ置換するようにしたことを特徴とする。
【００４３】
上述の特徴を達成するため、キー局のサーバ４２の地方局管理データベース４４において、地方局の識別情報に対応付けて通信コンテンツの一部を置換するためのデータを記憶させておく。更に、図７に示す如く、コンテンツデータベース４３から読み出した通信コンテンツの一部を、地方局管理データベース４４から読み出した地方局用のデータ（コンテンツ）に置換する置換部４６を設ける。
【００４４】
次に、上述の動作を、図８を用いて説明する。尚、図６におけるＳｔｅｐ  １００からＳｔｅｐ  １０６と、Ｓｔｅｐ  １１０以降の動作は同様なものなので省略する。
【００４５】
Ｓｔｅｐ  １０７において、地方局でない場合にはコンテンツデータベース４３から通信コンテンツを読み出し（Ｓｔｅｐ  ２００）、Ｓｔｅｐ  １１０に移行する。
【００４６】
一方、Ｓｔｅｐ  １０７において、地方局でない場合にはコンテンツデータベース４３から通信コンテンツを読み出し（Ｓｔｅｐ  ２０１）、更に、識別情報に関連付けられた地方局１用の置換用のデータを地方局管理データベース４４から読み出し（Ｓｔｅｐ  ２０２）。続いて、置換部４６により、コンテンツデータベース４３から読み出した通信コンテンツの一部を、地方局管理データベース４４から読み出した地方局用のデータ（コンテンツ）に置換する（Ｓｔｅｐ  ２０３）。そして、Ｓｔｅｐ  １１０に移行する。
【００４７】
本実施の形態は、メインの通信コンテンツの一部を置換、例えば、天気予報だけを地方局が存在する地方の天気に置き換える場合等に有効である。
【００４８】
【発明の効果】
本発明によれば、通信コンテンツを管理するサーバを一元管理することができると共に、各地方局の独自性のある通信コンテンツをアクセスしてきた者に送信することができる。
【図面の簡単な説明】
【図１】図１は第１の実施の形態を示す概念図である。
【図２】図２は地方局１のブロック図である。
【図３】図３は受信機２のブロック図である。
【図４】図４はキー局３のブロック図である。
【図５】図５はサーバ４２のブロック図である。
【図６】図６は本実施の形態の動作のフローチャートである。
【図７】図７は第２の実施の形態におけるサーバ４２のブロック図である。
【図８】図８は第２の実施の形態の動作のフローチャートである。
【符号の説明】
１      地方局
２      受信機
３      キー局
【図１】
2004222107.tif 000003
【図２】
2004222107.tif 000004
【図３】
2004222107.tif 000005
【図４】
2004222107.tif 000006
【図５】
2004222107.tif 000007
【図６】
2004222107.tif 000008
【図７】
2004222107.tif 000009
【図８】
2004222107.tif 000010